(57)【要約】【課題】オーバーフロー孔１４を有するボウル１１を備えた洗面装置１において、オーバーフロー孔１４を開閉自在に設けられたカバー２の動作によって使用感を損なわれない洗面装置１を提供する。【解決手段】側壁１２にオーバーフロー孔１４を有するボウル１１と、連結された浮子２１が浮上すればオーバーフロー孔１４を開くように開閉自在に設けられたカバー２と、を備えた洗面装置１において、ボウル１１内面より外側にはボウル１１に連通された浮動空間２２を備え、浮子２１は浮動空間２２内に備えられて、ボウル１１内の水３がオーバーフロー孔１４に達すれば、浮子２１が浮上してカバー２がボウル１１の側壁１２に沿って動いてオーバーフロー孔１４を開くようになした。【選択図】図２
2010077652.tif 000002
【特許請求の範囲】
【請求項１】
側壁にオーバーフロー孔を有するボウルと、連結された浮子が浮上すればオーバーフロー孔を開くように開閉自在に設けられたカバーと、を備えた洗面装置において、ボウル内面より外側にはボウルに連通された浮動空間を備え、浮子は浮動空間内に備えられて、ボウル内の水がオーバーフロー孔に達すれば、浮子が浮上してカバーがボウルの側壁に沿って動いてオーバーフロー孔を開くようになされた洗面装置。
【請求項２】
カバーがボウルの側壁の外面に沿って動くようになされたことを特徴とする請求項１記載の洗面装置。
【発明の詳細な説明】
【技術分野】
【０００１】
本願発明は、カバーを有するオーバーフロー孔を備える洗面装置に関するものである。
【背景技術】
【０００２】
従来から、洗面化粧台などに用いられる、オーバーフロー孔を備えた洗面装置は知られている。このような洗面装置には一般に、給水カランのような水供給手段からの給水を受けるボウルと、ボウル下部に開口して設けられ排水管に接続された排水口を備える。又、ボウル内に水を溜めて利用する場合などに、ボウル内の水が溢れることを防ぐオーバーフロー孔が設けられている。オーバーフロー孔はボウル側壁に開口して備えられ、オーバーフロー用通路に接続されている。オーバーフロー用通路は上部をオーバーフロー孔としてボウル内に開口し、下部は排水管に接続されており、オーバーフロー孔に達したボウル内の水は、オーバーフロー孔を通じオーバーフロー用通路に流入して排水管へ排水される。
【０００３】
ところで、オーバーフロー孔周辺や、オーバーフロー用通路内部は形状的に清掃が行いにくいため、汚れがたまったり、悪臭が発生したりする場合がある。洗面化粧台では、顔をボウルに近づけて洗顔や洗髪を行うため、オーバーフロー孔やオーバーフロー用通路が原因のわずかな異臭や汚れであっても気が付きやすい。また、オーバーフロー孔は常時開放であるから、オーバーフロー孔からオーバーフロー用通路に塵が入り込んで汚れの原因となっている。
【０００４】
このような問題に対し、図３、４に示す如く、特開平８−１８４０８４号公報に説明されるように、オーバーフロー孔１４を閉じるカバー２を開閉自在に設けて、オーバーフロー孔１４やオーバーフロー用通路１５に付着した汚れが見えないようにすると共に、オーバーフロー用通路１５内部に発生する異臭が洗面装置１の使用者に届かないようにすることが考えられる。オーバーフロー孔１４近傍を拡大して示す図４の如く、洗面装置１が備えるボウル１１の側壁１２に設けられたオーバーフロー孔１４にカバー２が設けられている。カバー２はオーバーフロー孔１４を閉じる薄い板の形状をしており、その薄い板の上辺はオーバーフロー孔１４上方の側壁１２と蝶番の如く可動に固定されている。カバー２の材質は比重が１より軽く水に浮かぶようになされている。従って、洗面装置１が備えるボウル１１内に溜められた水がカバー２の下部に達すると、カバー２は上辺が固定された蝶番の如く上方に弧を描くように浮かんで、オーバーフロー孔１４が開口し、ボウル１１内の水がオーバーフロー孔１４を通じて排水されるものであった。ボウル１１内に水を溜めない場合には、カバー２がオーバーフロー孔１４を閉ざしており、オーバーフロー孔１４周辺やオーバーフロー用通路１５に付着した汚れが洗面装置１使用者から見えることを防ぎ、またオーバーフロー孔１４周辺やオーバーフロー用通路１５から発生した異臭がボウル１１内側に流出することを防いでいる。
【特許文献１】特開平８−１８４０８４号公報
【発明の開示】
【発明が解決しようとする課題】
【０００５】
しかしながら、上記従来例においては、カバー２は上辺が固定された蝶番の如く上方に弧を描くように浮かぶことから、浮かんだ状態のカバー２は洗面装置１の使用に邪魔となって、洗面装置１の使用感を損ねるという問題点がある。
【０００６】
本願発明は、上記背景技術に鑑みて発明されたものであり、その課題は、カバーの動作によって使用感を損なわれない洗面装置を提供することである。
【課題を解決するための手段】
【０００７】
上記課題を解決するために、本願請求項１記載の発明では、側壁にオーバーフロー孔を有するボウルと、連結された浮子が浮上すればオーバーフロー孔を開くように開閉自在に設けられたカバーと、を備えた洗面装置において、ボウル内面より外側にはボウルに連通された浮動空間を備え、浮子は浮動空間内に備えられて、ボウル内の水がオーバーフロー孔に達すれば、浮子が浮上してカバーがボウルの側壁に沿って動いてオーバーフロー孔を開くようになされている。
【０００８】
又、本願請求項２記載の洗面装置においては、本願請求項１記載の洗面装置において、カバーがボウルの側壁の外面に沿って動くようになされたことを特徴としている。
【発明の効果】
【０００９】
本願請求項１記載の発明の洗面装置においては、浮子が浮上すればオーバーフロー孔を開くように開閉自在に設けられたカバーを備えたことから、ボウル内の水がオーバーフロー孔付近に達しない間はカバーがオーバーフロー孔を閉ざしており、オーバーフロー孔やオーバーフロー用通路の汚れや異臭が洗面装置の美感を損ねない。又、カバーがオーバーフロー孔を閉じた状態においては、オーバーフロー孔から塵がオーバーフロー用通路に入ることを防ぎ、オーバーフロー孔とオーバーフロー用通路が汚れにくくなる。
【００１０】
又、ボウルに連通された浮動空間を備えたことから、浮動空間の水はボウル内に溜められた水と同じ水位になり、浮子は浮動空間内に備えられたことから、浮子がボウル内に溜められた水の水位を正確に検知して、ボウル内の水がオーバーフロー孔に達すればカバーがオーバーフロー孔を開くようになった。浮動空間はボウル内面より外側に備えられており、浮子の浮動が洗面装置使用者の邪魔にならず、又洗面装置使用者の手などによって浮子の浮動が阻害されない。
【００１１】
又、カバーはボウルの側壁に沿って動いてオーバーフロー孔を開くようになされたことから、カバーの動作が洗面装置使用者の邪魔にならず、カバーの動作が使用感を損ねない。
【００１２】
又、本願請求項２記載の発明の洗面装置においては、カバーがボウルの側壁外面に沿って動くようになされたことから、カバーの動作が洗面装置使用者の邪魔にならない効果が高まる。
【発明を実施するための最良の形態】
【００１３】
図１、２は、本願請求項１、２に対応した実施形態である洗面装置の要部を示している。この実施形態の洗面装置が備える構成要素の内、オーバーフロー用通路の如く一般に広く用いられる洗面装置が備える構造と同じ構成要素については、適宜従来例を示す図３を参照されたい。この洗面装置は図１、図２に示す如く、側壁１２にオーバーフロー孔１４を有するボウル１と、連結された浮子２１が浮上すればオーバーフロー孔１４を開くように開閉自在に設けられたカバー２と、を備えた洗面装置１において、ボウル１１内面より外側にはボウル１１に連通された浮動空間２２を備え、浮子２１は浮動空間２２内に備えられて、ボウル１１内の水がオーバーフロー孔１４に達すれば、浮子２１が浮上してカバー２がボウル１１の側壁１２に沿って動いてオーバーフロー孔１４を開くようになされている。
【００１４】
又、この洗面装置１においては、カバー２がボウル１１の側壁１２の外面に沿って動くようになされている。
【００１５】
以下、この実施形態の洗面装置１を、より具体的詳細に説明する。図１に示すように、洗面装置１の備えるボウル１１が側壁１２に開口したオーバーフロー孔１４には、オーバーフロー孔１４を開閉自在になされたカバー２が備えられている。オーバーフロー孔１４は上下が水平な直線状であり、左右は半円状となってボウル１１内に開口している。カバー２は閉じればオーバーフロー孔１４を塞ぐ大きさの長方形の形状をしている。
【００１６】
洗面装置１には浮子２１を内部に有する浮動空間２２が備えられている。浮動空間２２の下部はボウル１１の側壁１２に開口している。すなわち、浮動空間２２の下部は開口部１３を通してボウル１１に連なって、ボウル１１内の水が浮動空間２２内に流入するようになされている。
【００１７】
カバー２は側壁１２の外面に沿って設けられているため、カバー２はオーバーフロー孔１４を通してのみ見ることが可能である。又、洗面装置１使用者はオーバーフロー孔１４に手を挿入した場合にのみカバー２に接触することが可能となる。
【００１８】
カバー２の上部中央と、浮子２１の上部とは接続部２３で結合されており、浮子２１の浮動に合わせてカバー２が上下に動くようになされている。また浮子２１が浮動空間２２内を上方に浮動すれば、カバー２が上方に動いてオーバーフロー孔１４を開くようになされている。
【００１９】
ボウル１１内の水がオーバーフロー孔１４の高さまで達すると、水は開口部１３を通じて浮動空間２２に流入して、ボウル１１内の水と同じ水位となり、浮子２１を上方に浮上させる。これにより、接続部２３で結合されたカバー２が、ボウル１１の側壁１２の外壁に沿って上方に動いて、オーバーフロー孔１４を開くようになされている。
【００２０】
図２には、カバー２がオーバーフロー孔１４を開閉する様子を示す。図２（ａ）はカバー２がオーバーフロー孔１４を閉じた状態であり、図２（ｂ）は浮子２１が上方に浮動し、カバー２がオーバーフロー孔１４を開けた状態を示す。
【００２１】
図２（ａ）、図２（ｂ）の正面向かって左側は、水の溜められるボウル１１内である。ボウル１１の側壁１２には、オーバーフロー孔１４がボウル１１内に向けて開口しており、側壁１２の裏側には更に二重の壁を備えて、側壁１２と二重の壁との間にはオーバーフロー用通路１５を備える。オーバーフロー用通路１５は下部が排水管に接続され、オーバーフロー孔１４から排出された水はオーバーフロー用通路１５を経由して排水管へ排水される。接続部２３は、一方をカバー２上部に接続され、もう一方は二重の壁上部に設けた開口部及び浮動空間２２上部の開口部を通じて、浮子２１の上部と接続されている。浮動空間２２の下部は開口部１３を通じてボウル１１内に連通されている。
【００２２】
図２（ａ）の如くボウル１１内の水が開口部１３に達しない状態においては、浮子２１は浮動空間２２の下部底面付近にあり、カバー２はオーバーフロー孔１４を閉じている。
【００２３】
図２（ｂ）の如くボウル１１内の水３がオーバーフロー孔１４に達した状態では、ボウル１１内の水３は開口部１３を通じて浮動空間２２内部に流入している。浮動空間２２内の水はボウル１１内の水３と同じ水位となり、浮子２１が上方に浮上する。これにより浮子２１と接続部２３で結合されたカバー２はオーバーフロー孔１４を開ける。これにより、オーバーフロー孔１４に達したボウル１１内の水３はオーバーフロー孔１４からオーバーフロー用通路１５を経由して排水管に排水される。
【００２４】
したがって、この実施形態の洗面装置１においては、浮子２１が浮上すればオーバーフロー孔１４を開くように開閉自在に設けられたカバー２を備えたことから、ボウル１１内の水がオーバーフロー孔１４付近に達しない間はカバーがオーバーフロー孔１４を閉ざしており、オーバーフロー孔１４やオーバーフロー用通路１５の汚れや異臭が洗面装置１の美感を損ねない。又、カバー２がオーバーフロー孔１４を閉じた状態においては、オーバーフロー孔１４から塵がオーバーフロー用通路１５に入ることを防ぎ、オーバーフロー孔１４とオーバーフロー用通路１５が汚れにくくなる。
【００２５】
又、ボウル１１に連通された浮動空間２２を備えたことから、浮動空間２２の水はボウル１１内に溜められた水と同じ水位になり、浮子２１は浮動空間２２内に備えられたことから、浮子２１がボウル１１内に溜められた水の水位を正確に検知して、ボウル１１内の水３がオーバーフロー孔１４に達すればカバー２がオーバーフロー孔１４を開くようになった。浮動空間２２はボウル１１内面より外側に備えられており、浮子２１の浮動が洗面装置１使用者の邪魔にならず、又洗面装置１使用者の手などによって浮子２１の浮動が阻害されない。
【００２６】
又、カバー２はボウル１１の側壁１２に沿って動いてオーバーフロー孔１４を開くようになされたことから、カバー２の動作が洗面装置１使用者の邪魔にならず、カバー２の動作が使用感を損ねない。
【００２７】
又、カバー２がボウル１１の側壁１２外面に沿って動くようになされたことから、カバー２の動作が洗面装置１使用者の邪魔にならない効果が高まる。
【図面の簡単な説明】
【００２８】
【図１】本願発明の実施形態であるカバーをオーバーフロー孔と共に示す透視正面図。
【図２】同カバーの動作を示す（ａ）はオーバーフロー孔を閉じた状態、（ｂ）はボウル内の水を検知してオーバーフロー孔を開いた状態を示す断面側面図。
【図３】従来例のカバーを洗面装置と共に示す断面側面図。
【図４】従来例のカバー近傍を拡大して洗面装置と共に示す断面側面図。
【符号の説明】
【００２９】
１  洗面装置
11  ボウル
12  側壁
13  開口部
14  オーバーフロー孔
15  オーバーフロー用通路
２  カバー
21  浮子
22  浮動空間
23  接続部
３  ボウル内の水
【図１】
2010077652.tif 000003
【図２】
2010077652.tif 000004
【図３】
2010077652.tif 000005
【図４】
2010077652.tif 000006